(57)【特許請求の範囲】
【請求項１】
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、
前記演算回路部から出力される特定の制御信号に基づいて、負荷に駆動電圧を供給する電源供給回路と、を有し、
前記演算回路部は、前記第１の動作モードと前記第３の動作モードとを所定の周期で切り替え、且つ、前記第１の動作モード又は前記第３の動作モードである場合に前記電源供給回路に前記特定の制御信号を送信した後に、前記第１の動作モード又は前記第３の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記負荷への前記駆動電圧の供給を維持して前記負荷の動作状態を継続させることを特徴とする電源制御装置。
【請求項２】
前記演算回路部は、同期シリアルインターフェースを介して、前記電源供給回路に接続され、
前記特定の制御信号は、前記演算回路部と前記電源供給回路とを同期する同期信号と、前記電源供給回路における前記負荷への前記駆動電圧の供給状態を設定するコマンド信号と、を含むことを特徴とする請求項１に記載の電源制御装置。
【請求項３】
前記演算回路部は、前記第２の動作モードにおいて前記負荷により特定の状態が検出された場合に、前記第２の動作モードから前記第１の動作モード又は前記第３の動作モードに移行することを特徴とする請求項１又は２に記載の電源制御装置。
【請求項４】
前記電源供給回路は、複数の前記負荷に個別に所定の前記駆動電圧を供給する複合電源回路であることを特徴とする請求項１乃至３のいずれかに記載の電源制御装置。
【請求項５】
前記電源供給回路は、前記演算回路部から送信される前記特定の制御信号に基づいて、前記第２の動作モードにおける前記複数の負荷への前記駆動電圧の供給状態を個別に設定することを特徴とする請求項４記載の電源制御装置。
【請求項６】
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、
利用者の入力操作に関連する信号を検出する検出部と、
前記演算回路部から出力される特定の制御信号に基づいて、前記検出部に所定の駆動電圧を供給する電源供給回路と、
前記演算回路部は、前記第１の動作モードと前記第３の動作モードとを所定の周期で切り替え、且つ、前記第１の動作モード又は前記第３の動作モードである場合に前記電源供給回路に前記特定の制御信号を送信した後に、前記第１の動作モード又は前記第３の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記検出部への前記駆動電圧の供給を維持して前記検出部の動作状態を継続させることを特徴とする電子機器。
【請求項７】
前記演算回路部は、前記第２の動作モードにおいて前記検出部により前記利用者の入力操作に関連する状態が検出された場合に、前記第２の動作モードから前記第１の動作モード又は前記第３の動作モードに移行することを特徴とする請求項６に記載の電子機器。
【請求項８】
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、前記演算回路部から出力される特定の制御信号に基づいて、負荷に駆動電圧を供給する電源供給回路と、を有し、
前記第１の動作モードと前記第３の動作モードとを所定の周期で切り替え、
前記第１の動作モード又は前記第３の動作モードである場合に前記演算回路部から前記電源供給回路に前記特定の制御信号を送信した後に、前記演算回路部を前記第１の動作モード又は前記第３の動作モードから前記第２の動作モードへ移行させて、前記演算回路部を前記特定の制御信号を出力しない状態とし、
前記特定の制御信号に基づいて、前記演算回路部が前記第２の動作モードになっている間に、前記電源供給回路から前記負荷への前記駆動電圧の供給を維持して前記負荷の動作状態を継続する、ことを特徴とする電源制御装置の制御方法。
【請求項９】
前記第２の動作モードにおいて前記負荷により特定の状態が検出された場合に、前記演算回路部を前記第２の動作モードから前記第１の動作モード又は前記第３の動作モードに移行することを特徴とする請求項８に記載の電源制御装置の制御方法。
【請求項１０】
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部を備えるコンピュータに、
前記第１の動作モードと前記第３の動作モードとを所定の周期で切り替えさせ、
前記第１の動作モード又は前記第３の動作モードである場合に前記演算回路部から出力される特定の制御信号に基づいて、負荷に駆動電圧を供給する電源供給回路に前記特定の制御信号を送信させた後に、前記演算回路部を前記第１の動作モード又は前記第３の動作モードから前記第２の動作モードへ移行させて、前記演算回路部を前記特定の制御信号を出力しない状態とさせ、
前記特定の制御信号に基づいて、前記演算回路部が前記第２の動作モードになっている間に、前記電源供給回路から前記負荷への前記駆動電圧の供給を維持して前記負荷の動作状態を継続させる、ことを特徴とする電源制御装置の制御プログラム。
【請求項１１】
前記第２の動作モードにおいて前記負荷により特定の状態が検出された場合に、前記演算回路部を前記第２の動作モードから前記第１の動作モード又は前記第３の動作モードに移行させることを特徴とする請求項１０に記載の電源制御装置の制御プログラム。
【発明の詳細な説明】
【技術分野】
【０００１】
本発明は、電源を内蔵した電子機器に適用される電源制御装置及びその制御方法、制御プログラムに関する。
【背景技術】
【０００２】
近年、人体に装着して、ランニングやサイクリング、スイミング、トレッキング等の運動時や日常生活における各種のデータを記録して分析するための様々な製品（便宜的に、「ウェアラブル機器」と記す）が開発され、市販されている。また、携帯電話機やスマートフォン（高機能型携帯電話機）、タブレット端末等の携帯型の情報通信機器も広く普及している。このような機器は、バッテリ電源を内蔵し、各機能部に電力を供給することにより所望の機能が実行される。一方、上述したウェアラブル機器や携帯型の情報機器は、近年、各種のセンサ類や通信機能等を搭載して高機能化が進んでいる。そのため、消費電力が増大する傾向にあり、バッテリ電源を内蔵する機器の駆動時間が短くなってしまうという問題を有している。このような問題を改善するための手法が種々考案されている。
【０００３】
例えば特許文献１には、携帯型の装置において、ＭＣＵ（Micro Controller Unit）から出力するSensor Enable信号によりＦＥＴ（Field Effect Transistor）のオン、オフを切り替えて、センサへの電源Ｖccの供給を制御する構成が記載されている。ここで、特許文献１には、定期的にセンシングを行うセンサの動作状態に応じて、センシングを行わない期間においては、ＭＣＵをSleep状態に移行させて、消費電力を抑制することが開示されている。
【先行技術文献】
【特許文献】
【０００４】
【特許文献１】特開２００５−２８４５９６号公報
【発明の概要】
【発明が解決しようとする課題】
【０００５】
上述した特許文献１等に記載された電源の制御方法において、ＭＣＵにおける消費電力をさらに抑制するためには、ＭＣＵの機能を大半の機能を休止させた休止状態に移行させる必要がある。しかしながら、このとき、ＭＣＵからＦＥＴへのSensor Enable信号が供給されない状態や、信号レベルが不確定な状態が発生する状態の休止状態にすると、センサへの電源Ｖccの供給状態が不安定になり、ＦＥＴのオン、オフ動作に影響を及ぼして、センサが正常にセンシング動作しなくなる問題を有している。そのため、消費電力の抑制のためであってもこのような状態の休止状態にすることはできなかった。このような問題は、通常の動作モードに加え、省電力モードを備えるＭＣＵやＣＰＵ（中央演算装置）、ＭＰＵ（マイクロプロセッサ）等の演算処理装置において、同様に生じる可能性のある問題である。また、特許文献１のように、センサに電源Ｖccを供給する場合に限らず、例えば無線通信（ＲＦ；Radio Frequency）回路等の他の負荷に対して所定の電源を供給する場合であっても発生する問題である。
【０００６】
そこで、本発明は、上述した問題点に鑑みて、負荷に対して安定した電力を供給して所望の機能を良好に実行させつつ、機器の省電力化を実現することができる電源制御装置及びその制御方法、制御プログラム、並びに、当該電源制御装置を備えた電子機器を提供することを目的とする。
【課題を解決するための手段】
【０００７】
本発明に係る電源制御装置は、
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、
前記演算回路部から出力される特定の制御信号に基づいて、負荷に駆動電圧を供給する電源供給回路と、を有し、
前記演算回路部は、前記第１の動作モードと前記第３の動作モードとを所定の周期で切り替え、且つ、前記第１の動作モード又は前記第３の動作モードである場合に前記電源供給回路に前記特定の制御信号を送信した後に、前記第１の動作モード又は前記第３の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記負荷への前記駆動電圧の供給を維持して前記負荷の動作状態を継続させることを特徴とする。
【０００８】
本発明に係る電子機器は、
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、
利用者の入力操作に関連する信号を検出する検出部と、
前記演算回路部から出力される特定の制御信号に基づいて、前記検出部に所定の駆動電圧を供給する電源供給回路と、
前記演算回路部は、前記第１の動作モードと前記第３の動作モードとを所定の周期で切り替え、且つ、前記第１の動作モード又は前記第３の動作モードである場合に前記電源供給回路に前記特定の制御信号を送信した後に、前記第１の動作モード又は前記第３の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記検出部への前記駆動電圧の供給を維持して前記検出部の動作状態を継続させることを特徴とする。
【０００９】
本発明に係る電源制御装置の制御方法は、
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部と、前記演算回路部から出力される特定の制御信号に基づいて、負荷に駆動電圧を供給する電源供給回路と、を有し、
前記第１の動作モードと前記第３の動作モードとを所定の周期で切り替え、
前記第１の動作モード又は前記第３の動作モードである場合に前記演算回路部から前記電源供給回路に前記特定の制御信号を送信した後に、前記演算回路部を前記第１の動作モード又は前記第３の動作モードから前記第２の動作モードへ移行させて、前記演算回路部を前記特定の制御信号を出力しない状態とし、
前記特定の制御信号に基づいて、前記演算回路部が前記第２の動作モードになっている間に、前記電源供給回路から前記負荷への前記駆動電圧の供給を維持して前記負荷の動作状態を継続する、ことを特徴とする。
【００１０】
本発明に係る電源制御装置の制御プログラムは、
第１の動作モードと、消費電力が前記第１の動作モードより少ない第２の動作モードと、前記第１の動作モードと前記第２の動作モードとの間の消費電力で動作する第３の動作モードと、を切り替えて所定の動作を実行する演算回路部を備えるコンピュータに、
前記第１の動作モードと前記第３の動作モードとを所定の周期で切り替えさせ、
前記第１の動作モード又は前記第３の動作モードである場合に前記演算回路部から出力される特定の制御信号に基づいて、負荷に駆動電圧を供給する電源供給回路に前記特定の制御信号を送信させた後に、前記演算回路部を前記第１の動作モード又は前記第３の動作モードから前記第２の動作モードへ移行させて、前記演算回路部を前記特定の制御信号を出力しない状態とさせ、
前記特定の制御信号に基づいて、前記演算回路部が前記第２の動作モードになっている間に、前記電源供給回路から前記負荷への前記駆動電圧の供給を維持して前記負荷の動作状態を継続させる、ことを特徴とする。
【発明の効果】
【００１１】
本発明によれば、負荷に対して安定した電力を供給して所望の機能を良好に実行させつつ、機器の省電力化を実現することができる。
【図面の簡単な説明】
【００１２】
【図１】本発明に係る電源制御装置の第１の実施形態を示す図である。
【図２】第１の実施形態に係る電源制御装置に適用される演算回路部の動作モードを説明するための図である。
【図３】第１の実施形態の作用効果を説明するための比軟例を示す図である。
【図４】本発明に係る電源制御装置の第２の実施形態を示す図である。
【図５】本発明に係る電源制御装置を備えた電子機器の一例を示す概略ブロック図である。
【図６】本発明に係る電源制御装置を備えた電子機器の具体例を示す概略斜視図である。
【発明を実施するための形態】
【００１３】
以下に、本発明に係る電源制御装置及びその制御方法、制御プログラム、並びに、当該光源装置を備えた電子機器について、実施形態を示して詳しく説明する。
【００１４】
＜第１の実施形態＞
（電源制御装置）
図１は、本発明に係る電源制御装置の第１の実施形態を示す図である。図１（ａ）は、電源制御装置の構成例を示す概略ブロック図であり、図１（ｂ）は、電源制御装置における制御方法の一例を示すタイミングチャートである。
【００１５】
第１の実施形態に係る電源制御装置は、例えば図１（ａ）に示すように、概略、ＣＰＵやＭＰＵ等の演算処理装置からなる演算回路部１０と、センサ３０等の負荷に駆動用の電源電圧（駆動電圧）を供給する電源供給回路２０と、を有している。
【００１６】
演算回路部１０は、少なくとも電源供給回路２０に対して出力端子（例えばＧＰＩＯ；General Purpose Input/Output）から所定の制御信号を送信することにより電源供給回路２０の動作状態を制御する。また、演算回路部１０は、センサ３０により取得された検出信号を、入力端子（例えばＧＰＩＯ）を介して受信して所定のデータ処理を実行する。ここで、演算回路部１０と電源供給回路２０とは、例えばＩ２Ｃ（Inter-Integrated Circuit）等の同期シリアル通信規格のインターフェース（以下、便宜的に「同期シリアルＩ／Ｆ」と記す）を介して接続されている。この同期シリアルＩ／Ｆにおいては、同期用のクロック信号（同期信号）を送信する信号線と、コマンド信号を送信する信号線との２本の信号線を有している。これにより、演算回路部１０は、電源供給回路２０との間で同期をとるための同期信号を送信しつつ、電源供給回路２０におけるセンサ３０への駆動電圧の供給状態（供給又は遮断）を制御するコマンド信号を送受信する。
【００１７】
また、演算回路部１０は、本実施形態に係る電源制御装置が搭載される電子機器（詳しくは後述する）の仕様や設定、動作状態等に応じて、通常モードとストップモードとスタンバイモードとを切り替えて動作を行うように構成されている。ここで、通常モードにおいては、演算回路部１０は、通常の消費電力で（換言すると、消費電力を削減することなく規定の電力により）各種の機能を常時又は継続して実行する（通常動作）。また、ストップモードにおいては、演算回路部１０は、主要な機能部以外の機能を休止させて消費電力を削減した状態で動作（低消費電力動作）を行う。スタンバイモードにおいては、演算回路部１０は、主要な機能部を含む大半の機能を休止させて、必要最小限の機能のみを実行させ、消費電力をさらに削減した状態で動作（低消費電力動作）を行う。スタンバイモードは、スリープモード、省電力状態、休止状態等とも呼ばれる。なお、演算回路部１０における動作モードについては、詳しく後述する。
【００１８】
電源供給回路２０は、例えばＬＤＯ（Low Drop Out）レギュレータ等の電源用集積回路（ＩＣ）であって、図示を省略したバッテリ電源から供給される電源電圧を、センサ３０等の負荷の駆動に適した所定の電圧値の駆動電圧に変換して供給する。ここで、電源供給回路２０は、上述した同期シリアルＩ／Ｆを介して演算回路部１０から送信される制御信号に含まれる同期信号を受信することにより演算回路部１０との同期状態を保持しつつ、制御信号に含まれるコマンド信号を受信することによりセンサ３０への駆動電圧の供給状態（供給又は遮断）を制御する。特に、本実施形態においては、電源供給回路２０は、演算回路部１０から送信される特定のコマンド信号に基づいて、演算回路部１０がスタンバイモードになっている状態で、センサ３０への所定の駆動電圧の供給を維持する。
【００１９】
センサ３０は、例えば加速度センサやジャイロセンサ、地磁気センサ、気圧センサ、温湿度センサ、脈拍センサ、心拍センサ等のセンサ手段や、ＧＰＳ（Global Positioning System；全地球測位システム）を用いた測位センサ等の測位手段であって、電源供給回路２０から供給される駆動電圧に基づいて、所定のセンシング動作を実行して取得した検出信号を演算回路部１０に出力する。
【００２０】
（動作モード）
次に、上述した演算回路部１０における動作モードについて具体的に説明する。
図２は、本実施形態に係る電源制御装置に適用される演算回路部の動作モードを説明するための図である。図２（ａ）は、演算回路部の各動作モードにおける具体例を示す表であり、図２（ｂ）は、ストップモードにおける演算回路部の動作状態を示す概念図であり、図２（ｃ）は、スタンバイモードにおける演算回路部の動作状態を示す概念図である。
【００２１】
演算回路部１０により実行される動作モードのうち、通常モードにおいては、図２（ａ）の表に示すように、例えば２００μＡ程度の電流を消費して演算回路部１０の全ての機能部が通常動作を実行する。また、この通常モードにおいては、電源供給回路２０に接続される出力端子（ＧＰＩＯ）における信号レベルは、現時点又は直前に出力（又は送信）された信号レベルが保持される。
【００２２】
ストップモードにおいては、図２（ａ）の表に示すように、例えば２０μＡ程度の電流を消費して演算回路部１０の主要な機能部が通常動作を維持し、それ以外の機能部が休止した低消費電力動作を実行する。具体的には、例えば図２（ｂ）に示すように、演算回路部１０に設けられるメモリ（ＳＲＡＭ）やレジスタ等の内部メモリ１２や、ＬＤＯ等の内部電源回路１４、演算回路部１０における動作の割り込みに関わる信号を受信するＩＮＴ機能部１６、演算回路部１０における動作モードの復帰に関わる信号を受信するＷＫＵＰ機能部１８等の、主要な機能部は、通常モードと同等の動作状態（通常動作）を維持する。また、上記主要な機能部以外の機能部（図示を省略）は休止状態に設定される。これにより、ストップモードにおいては、通常モードにおいて内部メモリ１２に保存されたデータは保持され、また、電源供給回路２０に接続される出力端子（ＧＰＩＯ）における信号レベルは、現時点又は直前に出力（又は送信）された信号レベルが保持される。そして、このストップモードにおいて、演算回路部１０は、所定の割り込み（ＩＮＴ）信号を受信することにより、ストップモードを中断して通常モードに復帰する。
【００２３】
スタンバイモードにおいては、図２（ａ）の表に示すように、例えば１μＡ程度の微少な電流を消費して演算回路部１０の必要最小限の機能のみが通常動作を行い、それ以外の大半の機能部が休止した低消費電力動作を実行する。具体的には、例えば図２（ｃ）に示すように、演算回路部１０におけるスタンバイモードから通常モードへの復帰に関わる信号を受信するＷＫＵＰ機能部１８のみが、通常モードと同等の動作状態を維持し、ＷＫＵＰ機能部１８以外の、内部メモリ１２や内部電源回路１４、ＩＮＴ機能部１６は休止状態（図中、便宜的にハッチングにて表記）に設定される。これにより、スタンバイモードにおいては、通常モードやストップモードにおいて内部メモリ１２に保存されたデータは消去（リセット）され、また、電源供給回路２０に接続される出力端子（ＧＰＩＯ）に印加された信号レベルは保持（確定）されない。そして、このスタンバイモードにおいて、演算回路部１０は、センサ３０からの検出信号を割り込み（ＷＫＵＰ）信号として受信することにより、スタンバイモードを中断して通常モードに復帰する。
【００２４】
このように、ストップモードにおいては、少なくとも演算回路部１０の内部メモリ１２や内部電源回路１４、ＩＮＴ機能部１６、ＷＫＵＰ機能部１８等の主要な機能部が通常の動作状態を維持しているので、ストップモードは比較的周期の短い細かな間欠動作や、実行頻度の高い動作を実行する場合に適している。また、スタンバイモードにおいては、ＷＫＵＰ機能部のみが通常の動作状態を維持し、それ以外の大半の機能部が休止状態に設定されて、内部メモリ１２に保存されたデータ等が保持されないので、スタンバイモードは比較的周期の長い間欠動作や、実行頻度の低い動作を実行する場合に適している。なお、これらの動作モードにおける具体例については、電源制御装置の制御方法において詳しく説明する。
【００２５】
（電源制御装置の制御方法）
次に、上述した構成を有する電源制御装置の制御方法について説明する。
上述した構成を有する電源制御装置において、演算回路部１０は、例えば実行しているアプリケーションにより設定されたタイミングやユーザの操作に基づくタイミングで、通常モードとストップモードとの間の切り替えや、さらには通常モード又はストップモードとスタンバイモードとの間の切り替えを行う。ここで、以下に示す一連の処理動作は、演算回路部１０において所定のアルゴリズムプログラムを実行することにより実現される。
【００２６】
具体的には、演算回路部１０が特定のアプリケーションを実行してセンサ３０により比較的短い周期（例えば１秒間隔）でセンシング動作を実行する場合には、例えば図１（ｂ）のタイミングチャートに示すように、まず、演算回路部１０が通常モードで、Ｉ２Ｃ等の同期シリアルＩ／Ｆを介して電源供給回路２０に、同期信号を送信するとともに、Ｈ（ハイ）レベルのコマンド信号を送信する。これにより、電源供給回路２０からセンサ３０に所定の駆動電圧が供給されてセンサ３０がオン動作する。センサ３０により取得された検出信号は、演算回路部１０により所定の周期で受信されて、例えば図示を省略したメモリ部に保存される。ここで、演算回路部１０は、センサ３０により取得された検出信号を受信したタイミングから、次の検出信号を受信するタイミング（例えば１秒後）までの期間、ストップモードに移行することにより低消費電力動作を実行する。
【００２７】
すなわち、ストップモードにおいては、図２（ａ）、（ｂ）に示したように、演算回路部１０の主要な機能部以外の機能部が休止状態に設定されて、消費電力が削減される。また、ストップモードにおいては、演算回路部１０の出力端子（ＧＰＩＯ）における信号レベルが保持されているので、演算回路部１０から電源供給回路２０に送信されるコマンド信号は通常モードにおける信号レベルを保持し、電源供給回路２０からセンサ３０に所定の駆動電圧が供給されてセンサ３０はオン動作を継続する。また、このストップモードにおいては、演算回路部１０は、通常モードにおいてセンサ３０により取得された検出信号を受信したタイミング（ストップモードへの移行タイミング）からの時間経過を計測（カウント）し、センサ３０により取得された検出信号を受信する次のタイミング（又は、その直前のタイミング）で、通常モードに復帰することにより、次の検出信号を受信する。ここで、ストップモードにおいては、演算回路部１０の主要な機能部が通常の動作状態を維持しているので、演算回路部１０の通常モードからストップモードへの移行、及び、ストップモードから通常モードへの復帰が迅速に行われる。
【００２８】
このように、比較的周期の短い細かな間欠動作や、実行頻度の高い動作を実行する場合には、通常モードによる動作タイミング間の期間をストップモードに設定して動作させることにより（実質的に、通常モードとストップモードとを交互に繰り返すことにより）、演算回路部１０を低消費電力で動作させつつ、演算回路部１０の動作モードの切り替え（移行）時に処理遅延等を生じることなく、センサ３０等の負荷を良好に動作させることができる。
【００２９】
次いで、演算回路部１０が実行中のアプリケーションにより設定されたタイミングで、あるいは、電源制御装置が搭載される電子機器が使用されていない状態（不使用状態）が所定時間以上、継続した場合には、演算回路部１０は通常モード又はストップモードからスタンバイモードに移行する。ここで、電子機器の不使用状態とは、例えば機器が持ち上げられたり、特定の振動や衝撃、傾斜等が加わったりしていない状態や、ユーザによりスイッチ操作等がされていない状態であって、例えば加速度センサ等を有するセンサ３０や、図示を省略した操作スイッチ等から出力される検出信号に基づいて演算回路部１０により判別される。演算回路部１０が通常モード又はストップモードからスタンバイモードに移行する場合には、例えば図１（ｂ）のタイミングチャートに示すように、まず、演算回路部１０は、スタンバイモードへの移行に先立って、同期シリアルＩ／Ｆを介して電源供給回路２０に特定のコマンド信号を送信する。これにより、電源供給回路２０は、演算回路部１０がスタンバイモードに移行した後も、演算回路部１０から送信される制御信号（コマンド信号）の有無やその信号レベルに関わらず、センサ３０に所定の駆動電圧を供給する状態を維持するように設定される。ここで、スタンバイモードへの移行に先立って、演算回路部１０から電源供給回路２０に送信される特定のコマンド信号は、例えば、一定の信号幅を有するＨ（ハイ）レベル又はＬ（ロー）レベルの単位信号を、シリアルに（連続して）複数配列した一連の信号群が適用される。例えば図１（ｂ）においては、特定のコマンド信号（電圧保持コマンド）として、「Ｌ」「Ｈ」「Ｌ」「Ｌ」の４つの信号をシリアルに配列した信号群を送信した場合を示している。なお、特定のコマンド信号は、図１（ｂ）に示した例に限定されるものではなく、任意の数の単位信号をシリアルに配列した信号群を適用することができる。そして、電源供給回路２０は、演算回路部１０から送信された特定のコマンド信号を受信すると、同期シリアルＩ／Ｆを介して演算回路部１０に、当該特定のコマンド信号を受信したことを確認する確認信号ＡＣＫ（Acknowledge）を送信する。これにより、演算回路部１０は、アプリケーションにより設定されたタイミングまで、あるいは、電子機器が使用された状態が検出されるまでの期間、スタンバイモードに移行して低消費電力動作を実行する。
【００３０】
すなわち、スタンバイモードにおいては、図２（ａ）、（ｃ）に示したように、演算回路部１０の大半の機能部が休止状態に設定されて、消費電力がストップモードよりさらに削減される。また、スタンバイモードにおいては、演算回路部１０の出力端子（ＧＰＩＯ）における信号レベルは保持（確定）されないが、スタンバイモードへの移行に先立って送信した特定のコマンド信号により、電源供給回路２０からセンサ３０に所定の駆動電圧を供給する状態が維持されてセンサ３０はスタンバイモード移行後もオン動作を継続する。そして、このスタンバイモードにおいて、センサ３０等により電子機器が使用された状態（使用状態）が検出されて、その検出信号を演算回路部１０が受信することにより、通常モードに復帰する。ここで、スタンバイモードにおいては、演算回路部１０のＷＫＵＰ機能部１８が通常の動作状態を維持しているので、演算回路部１０はセンサ３０等から出力される検出信号を割り込み（ＷＫＵＰ）信号として良好に受信する。また、スタンバイモードにおいては、メモリ（ＳＲＡＭ）やレジスタを含む内部メモリ１２に保存されたデータは消去（リセット）されるため、通常モードへの復帰の際に内部メモリ１２の再設定処理等に比較的時間を要するものの、演算回路部１０の通常モードへの復帰に関わる割り込み信号（ＷＫＵＰ）を受信するＷＫＵＰ機能部１８以外の大半の機能部が休止状態に設定されるので、演算回路部１０がより低消費電力で動作する。
【００３１】
このように、比較的周期の長い間欠動作や、実行頻度の低い動作を実行する場合には、通常モード又はストップモードからスタンバイモードに移行して動作させることにより、演算回路部１０をさらに低消費電力で動作させつつ、演算回路部１０を通常モードに復帰させるための割り込み信号を出力するセンサ３０等の負荷を良好に動作させることができる。
【００３２】
（作用効果の検証）
次に、本実施形態に係る電源制御装置及びその制御方法における作用効果について、比軟例を示して具体的に説明する。
図３は、本実施形態の作用効果を説明するための比軟例を示す図である。図３（ａ）は、比較例における概略ブロック図であり、図３（ｂ）は、その制御方法を示すタイミングチャートである。ここでは、本実施形態と比較例との構成や制御方法の比較を明瞭にするために、本実施形態（図１参照）と同等の構成や制御方法については同等の符号を付して説明する。
【００３３】
比較例における電源制御装置は、例えば図３（ａ）に示すように、演算回路部１０Ｐと、センサ３０Ｐに駆動電圧を供給する電源供給回路２０Ｐと、を有している。このような電源制御装置においては、演算回路部１０Ｐから電源供給回路２０に所定の制御信号が送信されることにより、電源供給回路２０からセンサ３０Ｐへの駆動電圧の供給状態（供給又は遮断）が制御される。ここで、比較例においては、演算回路部１０Ｐから出力される制御信号として、Ｈ（ハイ）及びＬ（ロー）の２値の信号レベルを有するＣＥ（Chip Enable）が適用される。
【００３４】
そして、このような電源制御装置において、通常モードにおいては、例えば図３（ｂ）のタイミングチャートに示すように、演算回路部１０Ｐから電源供給回路２０ＰにＨ（ハイ）レベルの制御信号（ＣＥ）を送信することにより、センサ３０Ｐに所定の駆動電圧が供給されてセンサ３０Ｐがオン動作する。センサ３０Ｐにより取得された検出信号は、演算回路部１０Ｐにより所定の周期で受信される。
【００３５】
また、比較例の電源制御装置において、上述した本実施形態に示したような比較的周期の長い間欠動作や、実行頻度の低い動作を実行する場合に、例えば図３（ｂ）のタイミングチャートに示すように、演算回路部１０Ｐが、低消費電力動作を実行するために、通常モード又はストップモードからスタンバイモードに移行した場合について検討する。このスタンバイモードにおいては、上述した実施形態（図２（ａ）、（ｃ））と同様に、電源供給回路２０Ｐに送信される制御信号（ＣＥ）の信号レベルは保持されず（確定せず）、また、演算回路部１０ＰのＷＫＵＰ機能部以外の機能部が休止状態に設定される。これにより、演算回路部１０Ｐを低消費電力で動作させることができるが、電源供給回路２０Ｐからセンサ３０Ｐに供給される駆動電圧の信号レベルが不安定になって（確定しなくなって）、センサ３０Ｐがオン動作しなくなる（オフ動作してしまう）可能性があった。そのため、スタンバイモードにおいて、センサ３０Ｐにより電子機器が使用された状態（使用状態）を的確に検出することができず、演算回路部１０Ｐが通常モードに復帰することができなくなるという問題が発生する。このような問題の発生を回避するためには、スタンバイモードへの移行を避けて、スタンバイモードよりも消費電力の削減量が少ないストップモードへの移行までで止めておく手法を採用せざるを得なかった。
【００３６】
これに対して、上述した本実施形態においては、スタンバイモードへの移行に先立って、演算回路部１０からＩ２Ｃ等の同期シリアルＩ／Ｆを介して電源供給回路２０に、特定のコマンド信号を送信して、センサ３０への所定の駆動電圧の供給を維持するように設定する。これにより、演算回路部１０がスタンバイモードに移行した後も、制御信号（コマンド信号）の有無やその信号レベルに関わらず、センサ３０がオン動作を継続するので、演算回路部１０を十分に低消費電力で動作させつつ、センサ３０により電子機器が使用された状態（使用状態）を良好に検出して、演算回路部１０を通常モードに的確に復帰させることができる。したがって、センサ等の所定の機能を実行する負荷に対して、安定した電力を供給して当該機能を良好に実行させつつ、電源制御装置を備えた電子機器の省電力化を実現することができる。
【００３７】
なお、本実施形態においては、電源供給回路２０から供給される駆動電圧に基づいて所定の動作を実行する負荷としてセンサ３０を示したが、本発明はこれに限定されるものではない。すなわち、本実施形態において負荷は、少なくとも演算回路部１０のスタンバイモードにおいて、電源供給回路２０から供給される駆動電圧によりオン動作を継続して、電源制御装置を備えた電子機器が使用された状態を検出することができるセンサやスイッチ、無線通信回路等を含んでいるものであればよい。
【００３８】
＜第２の実施形態＞
次に、本発明に係る電源制御装置の第２の実施形態について、図面を参照して説明する。
図４は、本発明に係る電源制御装置の第２の実施形態を示す図である。図４（ａ）は、電源制御装置の構成例を示す概略ブロック図であり、図４（ｂ）は、スタンバイモードにおける各負荷の動作状態を示す表である。ここで、上述した第１の実施形態と同等の構成については、同等の符号を付してその説明を簡略化する。
【００３９】
第１の実施形態においては、演算回路部１０により制御される電源供給回路２０が、単一のセンサ３０に所定の駆動電圧を供給する場合について説明した。第２の実施形態においては、複数の負荷に対して、それぞれ電圧値の異なる駆動電圧を個別に供給する構成を有していることを特徴としている。
【００４０】
第２の実施形態に係る電源制御回路は、例えば図４（ａ）に示すように、上述した第１の実施形態に示したＬＤＯレギュレータ等の電源用集積回路からなる電源供給回路２０に替えて、センサＡ３２、無線通信（ＲＦ）回路３４、センサＢ３６等の複数の負荷に対して、それぞれの駆動に適した所定の駆動電圧を個別に供給するための複合電源回路（ＰＭＩＣ；Power Management IC）２５を備えた構成を有している。ここで、複合電源回路２５は、複数の負荷に対して、個別の駆動電圧を供給するための複数の電源用集積回路を、単一の集積回路に搭載した構成を有している。
【００４１】
演算回路部１０は、上述した第１の実施形態と同様に、Ｉ２Ｃ等の同期シリアルＩ／Ｆを介して、同期信号及びコマンド信号を含む制御信号を複合電源回路２５に送信する。また、演算回路部１０は、センサＡ３２及びセンサＢ３６により取得された検出信号、及び、無線通信回路３４により取得された受信信号を、個別の入力端子（例えばＧＰＩＯ）を介して受信して所定のデータ処理を実行する。
【００４２】
複合電源回路２５は、演算回路部１０から送信される制御信号に含まれるコマンド信号に基づいてセンサＡ３２、無線通信回路３４、センサＢ３６への駆動電圧の供給状態を制御する。特に、本実施形態においては、複合電源回路２５は、演算回路部１０から送信される特定のコマンド信号に基づいて、スタンバイモードにおけるセンサＡ３２、無線通信回路３４、センサＢ３６への個別の駆動電圧の供給又は遮断を一括して設定する。
【００４３】
無線通信回路３４は、本実施形態に係る電源制御装置を備えた電子機器の外部に設けられたセンサ機器や情報通信機器、パーソナルコンピュータ等（以下、「外部機器」と記す）との間で、所定の無線通信方式により各種のデータや信号を送受信する通信インターフェース部である。無線通信回路３４においては、例えばブルートゥース（Bluetooth（登録商標））通信やブルートゥースローエナジー（Bluetooth（登録商標） low energy（LE））通信、ワイファイ（Wi-Fi；wireless fidelity（登録商標））通信等の、各種の無線通信方式が適用される。無線通信回路３４は、電源供給回路２０から供給される駆動電圧に基づいて、外部機器との間で各種データ等の送受信を行い、取得した受信信号を演算回路部１０に出力する。
【００４４】
このような構成を有する電源制御装置の制御方法は、通常モード及びストップモードにおいては、上述した第１の実施形態と同等の制御方法を適用することができる。すなわち、演算回路部１０がＩ２Ｃ等の同期シリアルＩ／Ｆを介して複合電源回路２５に、Ｈ（ハイ）レベルのコマンド信号を送信することにより、複合電源回路２５からセンサＡ３２、無線通信回路３４、センサＢ３６の各々に所定の駆動電圧が個別に供給されて、センサＡ３２、無線通信回路３４、センサＢ３６がそれぞれオン動作する。センサＡ３２、センサＢ３６により取得された検出信号、及び、無線通信回路３４により取得された受信信号は、個別の入力端子（例えばＧＰＩＯ）を介して演算回路部１０により受信されて、所定のデータ処理が実行される。
【００４５】
一方、本実施形態に係る電源制御装置におけるスタンバイモードにおいては、演算回路部１０がスタンバイモードへの移行に先立って、同期シリアルＩ／Ｆを介して複合電源回路２５に特定のコマンド信号を送信することにより、演算回路部１０がスタンバイモードに移行した後も、複合電源回路２５からセンサＡ３２、無線通信回路３４、センサＢ３６の各々に所定の駆動電圧が個別に供給される状態が維持される。ここで、特定のコマンド信号は、上述した第１の実施形態と同様に、所定の信号レベルを有する単位信号をシリアルに複数配列した一連の信号群が適用される。特に、本実施形態においては、複合電源回路２５は特定のコマンド信号を受信することにより、スタンバイモードにおいて、予め設定された複数の負荷動作状態のいずれかを実行する。具体的には、複数の負荷動作状態は、例えば図４（ｂ）の表に示すように、センサＡ３２のみに駆動電圧を供給する状態を維持してオン動作を継続させる状態や、センサＡ３２と無線通信回路３４に駆動電圧を供給する状態を維持してオン動作を継続させる状態、センサＡ３２とセンサＢ３６に駆動電圧を供給する状態を維持してオン動作を継続させる状態等、種々の状態を有している。これらの負荷動作状態は各々、コマンド信号に含まれる単位信号の信号レベルや配列等が異なる、個別の特定のコマンド信号に対応づけられて設定されている。したがって、複合電源回路２５は、受信した特定のコマンド信号に含まれる単位信号の信号レベルや配列等に基づいて、対応する負荷動作状態を実行する。そして、このスタンバイモードにおいて、オン動作を継続しているセンサＡ３２、無線通信回路３４、センサＢ３６のいずれかにより電子機器の使用状態が検出されて、その検出信号や受信信号を割り込み（ＷＫＵＰ）信号として演算回路部１０が受信することにより、通常モードに復帰する。
【００４６】
このように、本実施形態においても上述した第１の実施形態と同様に、スタンバイモードへの移行に先立って、演算回路部１０から複合電源回路２５に、特定のコマンド信号を送信することにより、演算回路部１０がスタンバイモードに移行した後も、センサＡ３２、無線通信回路３４、センサＢ３６への所定の駆動電圧の供給が維持されてオン動作を継続する。これにより、演算回路部１０をスタンバイモードにおいて十分に低消費電力で動作させつつ、センサＡ３２、無線通信回路３４、センサＢ３６により電子機器の使用状態を良好に検出して、演算回路部１０を通常モードに復帰させることができる。したがって、センサ等の所定の機能を実行する負荷に対して、安定した電力を供給して当該機能を良好に実行させつつ、電源制御装置を備えた電子機器の省電力化を実現することができる。
【００４７】
また、本実施形態においては、スタンバイモードへの移行に先立って、演算回路部１０から複合電源回路２５に送信する特定のコマンド信号により、スタンバイモードにおいてセンサＡ３２、無線通信回路３４、センサＢ３６等の複数の負荷のどれをオン動作させるかが設定される。したがって、特定のコマンド信号を変更することにより予め設定された複数の負荷動作状態から、スタンバイモードにおける各負荷の動作状態を任意に設定することができ、電源制御装置が搭載される電子機器の仕様や機能設定をより高度な（多様な）ものにすることができる。
【００４８】
なお、上述した各実施形態においては、演算回路部１０と電源供給回路２０又は複合電源回路２５とを接続するインターフェースとして、Ｉ２Ｃ等の同期シリアルＩ／Ｆを示したが、本発明はこれに限定されるものではない。すなわち、演算回路部１０と電源供給回路２０又は複合電源回路２５との間で同期をとりつつ、電源供給回路２０又は複合電源回路２５における負荷への駆動電圧の供給状態を制御する制御信号を送受信することができるものであれば他の通信規格を有するインターフェースであってもよい。
【００４９】
＜電源制御装置の適用例＞
次に、本発明に係る電源制御装置を備えた電子機器の例について、図面を参照して説明する。
図５は、本発明に係る電源制御装置を備えた電子機器の一例を示す概略ブロック図である。また、図６は、本発明に係る電源制御装置を備えた電子機器の具体例を示す概略斜視図である。
【００５０】
本発明に係る電源制御装置を備えた電子機器ＤＶＣは、例えば図５に示すように、大別して、処理能力が異なる２組の演算回路部１００及び演算回路部２００と、演算回路部１００により表示状態が制御される表示パネル３１０、及び、演算回路部２００により表示状態が制御される表示パネル３２０を備えた表示部３００と、表示部３００の背面側に配置された光源部４００と、電源部（電源供給回路）５００と、を有している。ここで、演算回路部１００又は演算回路部２００は、上述した実施形態に示した演算回路部１０に対応し、電源部５００は電源供給回路２０又は複合電源回路２５に対応する。
【００５１】
演算回路部１００には、例えばセンサ部（検出部）１１０と、入力操作部（検出部）１２０と、メモリ部１３０と、通信回路部１４０と、表示パネル３１０と、光源部４００とが接続されている。また、演算回路部２００には、少なくとも入力操作部（検出部）２２０と、メモリ部２３０と、通信回路部２４０と、表示パネル３２０と、光源部４００とが接続されている。ここで、センサ部１１０、入力操作部１２０、２２０は上述した実施形態に示したセンサ３０、３２、３６に対応し、通信回路部１４０、２４０は無線通信回路３４に対応する。
【００５２】
演算回路部１００は、例えば比較的処理能力が低い演算回路（ローパワー、ローパフォーマンスのプロセッサ）であって、表示パネル３１０は、演算回路部２００の処理能力に対応して、比較的低消費電力で表示駆動することができる、ＰＮ（Polymer Network）型やＰＤ（Polymer Dispersed）型の液晶パネル等が適用される。なお、表示パネル３１０は、低消費電力で表示駆動することができる、時計表示や簡易な図形表示、静止画や画面表示の更新頻度が低い画像等を表示する場合には、ＰＮ型やＰＤ型の液晶パネル等に限定されるものではなく、ＴＦＴカラー液晶パネル等を適用するものであってもよい。一方、演算回路部２００は、例えば比較的処理能力が高い演算回路（ハイパワー、ハイパフォーマンスのプロセッサ）であって、表示パネル３２０は、演算回路部２００の処理能力に対応して、高機能な表示（高精細な静止画や動画のカラー表示や視覚効果等）を実現できる、ＴＦＴカラー液晶パネル等が適用される。ここで、表示パネル３１０、３２０に表示される画像は、演算回路部１００や演算回路部２００において実行されるアプリケーションにより生成される画像データに基づくものであって、例えばセンサ部１１０により取得された、ユーザの運動情報や生態情報、位置情報等が所定の表示形態で表示される。
【００５３】
ここで、表示部３００に設けられる表示パネル３１０、３２０は、少なくともいずれか一方に透過型の表示パネルが適用され、その背面側に光源部４００がバックライトとして配置される。ここで、表示パネル３１０、３２０は、ユーザの視野側から見て、平面的に重なることなく並列的に、又は、独立して配置された構成を有するものであってもよい。また、表示パネル３１０、３２０がいずれも透過型の表示パネルである場合には、例えば平面的に重なるように配置され、最背面側に光源部４００が配置された構成を有しているものであってもよい。
【００５４】
また、演算回路部１００及び演算回路部２００はそれぞれ連携通信部１５０及び連携通信部２５０を備えている。演算回路部１００及び演算回路部２００は、連携通信部１５０及び２５０を介して、演算回路部１００と演算回路部２００との間で所定の通知信号を送受信することにより、相互に連携かつ同期して、表示部３００（表示パネル３１０、３２０）における表示状態や、光源部４００の発光状態を制御する。
【００５５】
センサ部１１０は、上述したように、各種のセンサ手段や測位手段等であり、少なくとも演算回路部１００のスタンバイモードにおいて、電源部５００から供給される駆動電圧によりオン動作を継続して、電子機器ＤＶＣの使用状態を検出して、検出信号を割り込み（ＷＫＵＰ）信号として演算回路部１００に出力することができるものを含んでいる。ここで、電子機器ＤＶＣの使用状態は、ユーザの操作に起因する特定の振動や衝撃、傾斜、位置の変化等であって、例えば加速度センサにより検出されるものである。
【００５６】
入力操作部１２０、２２０は、例えば電子機器ＤＶＣの筐体に設けられたボタンスイッチやスライドスイッチ、マイク等の入力手段や、表示部３００の視野側に配置されたタッチパネル等の入力手段であり、ユーザの入力操作に起因する各種の操作信号を演算回路部１００、２００に出力する。入力操作部１２０、２２０は、少なくとも演算回路部１００のスタンバイモードにおいて、電源部５００から供給される駆動電圧によりオン動作を継続して、電子機器ＤＶＣの使用状態を検出して、検出信号を割り込み（ＷＫＵＰ）信号として演算回路部１００、２００に出力することができるものを含んでいる。
【００５７】
メモリ部１３０は、センサ部１１０により取得したセンサデータ等を保存する。また、メモリ部１３０、２３０は、それぞれ演算回路部１００、２００において所定の制御プログラムやアルゴリズムプログラムを実行する際に使用するデータやその際に生成されるデータ等を保存する。
【００５８】
通信回路部１４０、２４０は、電子機器ＤＶＣと外部機器との間で各種のデータや信号を送受信する。通信回路部１４０、２４０は、少なくとも演算回路部１００のスタンバイモードにおいて、電源部５００から供給される駆動電圧によりオン動作を継続して、外部機器との通信に基づいて電子機器ＤＶＣの使用状態を検出して、受信信号を割り込み（ＷＫＵＰ）信号として演算回路部１００、２００に出力することができるものを含んでいる。
【００５９】
光源部４００は、表示部３００（表示パネル３１０、３２０）における表示状態や、や入力操作部１２０、２２０におけるユーザの入力操作に基づいて、演算回路部１００又は演算回路部２００により発光状態が制御される。
【００６０】
電源部５００は、バッテリ電源と、上述した電源供給回路２０又は複合電源回路２５を含み、演算回路部１００又は演算回路部２００から図示を省略した同期シリアルＩ／Ｆを介して送信される制御信号（同期信号、コマンド信号）に基づいて、上述した各構成に所定の駆動電圧を供給することにより各構成がそれぞれの機能を実行する。ここで、バッテリ電源は、携帯型の電子機器ＤＶＣにおいては、例えば市販のボタン型電池等の一次電池や、リチウムイオン電池等の二次電池が適用される。また、上記の一次電池や二次電池のほか、振動や光、熱、電磁波等のエネルギーにより発電する環境発電（エナジーハーベスト）技術による電源等を、バッテリ電源として単独で、あるいは、併用して適用するものであってもよい。
【００６１】
このような構成を有する電子機器ＤＶＣの制御方法は、通常モードにおいては、演算回路部１００又は演算回路部２００から電源部５００に所定の制御信号を送信することにより、少なくともセンサ部１１０や入力操作部１２０、２２０、表示部３００、光源部４００に所定の駆動電圧が供給される。これにより、センサ部１１０は所定のセンシング動作を実行するとともに、入力操作部１２０、２２０はユーザによる入力操作を監視し、取得した検出信号を演算回路部１００や演算回路部２００に出力する。また、表示部３００は、演算回路部１００及び演算回路部２００により生成された画像データに基づく画像を表示パネル３１０、３２０に表示する。ここで、処理能力の低い演算回路部１００は表示パネル３１０に簡易な表示を行い、処理能力の高い演算回路部２００は表示パネル３２０に高機能な表示を行う。このとき、演算回路部１００と演算回路部２００とは、連携通信部１５０、２５０を介して通知信号を送受信することにより相互に連携して、各表示パネル３１０、３２０の表示状態を連携させるとともに、光源部４００の発光状態を制御する。この動作状態においては、上述した実施形態と同様に、演算回路部１００又は演算回路部２００は、センサ部１１０におけるセンシング動作や、表示パネル３１０、３２０の表示状態（例えば表示部３００における画面表示の更新頻度が低い状態）等に応じて、動作モードを通常モードからストップモードに適宜移行させるようにしてもよい。
【００６２】
なお、上述した表示部３００における画像の表示において、表示パネル３１０、３２０が平面的に重なることなく並列的に、又は、独立して配置された構成を有する場合には、透過型の表示パネル（例えば表示パネル３１０及び表示パネル３２０）の背面側から光源部４００の光を照射することにより、当該表示パネルの画面表示がユーザの視野側に投影されて多様な情報が視認される。また、表示部３００が非透過型の表示パネルを有している場合（例えば表示パネル３１０）には、その画面表示がユーザに直接視認される。一方、透過型の表示パネル３１０、３２０が平面的に重なるように配置された構成を有している場合には、表示パネル３１０、３２０の最背面側から光源部４００の光を照射することにより、当該表示パネル３１０、３２０の画面表示が合成されてユーザの視野側に投影されて、より高機能な表示としてユーザに視認される。
【００６３】
そして、演算回路部１００又は演算回路部２００は、センサ部１１０や入力操作部１２０、２２０から出力される検出信号や表示部３００における表示状態に基づいて、電子機器ＤＶＣが使用されていない状態や、表示部３００のいずれかの表示パネル３１０、３２０が画像を表示していない状態が所定時間以上、継続した場合には、通常モード又はストップモードからスタンバイモードに移行して低消費電力動作を実行する。ここで、演算回路部１００又は演算回路部２００は、スタンバイモードへの移行に先立って、演算回路部１００又は演算回路部２００から電源部５００に特定のコマンド信号を含む制御信号を送信することにより、電源部５００は、演算回路部１００又は演算回路部２００がスタンバイモードに移行した後も、センサ部１１０や入力操作部１２０、２２０等に対して所定の駆動電圧を供給するように設定される。これにより、スタンバイモードにおいても、センサ部１１０によるセンシング動作や、入力操作部１２０、２２０によるユーザの入力操作を監視する動作が継続される。そして、スタンバイモードにおいて、センサ部１１０や入力操作部１２０、２２０により電子機器ＤＶＣが使用された状態が検出された場合には、演算回路部１００又は演算回路部２００は、スタンバイモードから通常モードに復帰して、上述した動作を実行する。
【００６４】
このように、本適用例に係る電子機器ＤＶＣにおいては、演算回路部１００及び演算回路部２００が相互に連携して、多様な表示形態で画像を表示することができるとともに、電子機器ＤＶＣの不使用状態や表示部３００への画像の非表示状態が継続した場合には、演算回路部１００又は演算回路部２００がスタンバイモードに移行して低消費電力動作を実行する。ここで、本適用例においては、上述した実施形態に示したように、スタンバイモードにおいても、少なくとも電子機器ＤＶＣの使用状態を検出するためのセンサ部１１０や入力操作部１２０、２２０がオン動作を継続するように設定される。これにより、スタンバイモードにおいて電子機器ＤＶＣの使用状態を検出した場合には演算回路部１００又は演算回路部２００を通常モードに的確に復帰させることができる。したがって、本適用例によれば、演算回路部１００や演算回路部２００の動作モードに関わらず、電子機器ＤＶＣの所望の機能を良好に実行させつつ、電子機器ＤＶＣの大幅な省電力化を実現することができる。
【００６５】
また、上述した構成を有する電子機器ＤＶＣは、例えば図６（ａ）〜（ｃ）に示すように、各種のセンサ類や通信機能等（図示を省略）を内蔵し、入力操作部１２０や表示部３００を備えた様々な機器に適用することができる。具体的には、電子機器ＤＶＣは、例えば図６（ａ）に示すように、腕時計型やリストバンド型の外観を有し、ユーザの身体に装着されるスポーツウォッチやスマートウォッチであってもよいし、図６（ｂ）に示すようなスマートフォンや携帯電話機であってもよいし、図６（ｃ）に示すようなアウトドアで使用する携帯機器（例えばＧＰＳロガーやナビゲーター）であってもよい。
【００６６】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００６７】
（付記）
［１］
第１の動作モードと、消費電力が前記第１の動作モードより少ない第２の動作モードと、を切り替えて所定の動作を実行する演算回路部と、
前記演算回路部から出力される制御信号に基づいて、負荷に駆動電圧を供給する電源供給回路と、
を有し、
前記演算回路部は、前記電源供給回路に特定の前記制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記負荷への前記駆動電圧の供給を維持して前記負荷の動作状態を継続させることを特徴とする電源制御装置。
【００６８】
［２］
前記演算回路部は、同期シリアルインターフェースを介して、前記電源供給回路に接続され、
前記特定の制御信号は、前記演算回路部と前記電源供給回路とを同期する同期信号と、前記電源供給回路における前記負荷への前記駆動電圧の供給状態を設定するコマンド信号と、を含むことを特徴とする［１］に記載の電源制御装置。
【００６９】
［３］
前記演算回路部は、前記第２の動作モードにおいて前記負荷により特定の状態が検出された場合に、前記第２の動作モードから前記第１の動作モードに移行することを特徴とする［１］又は［２］に記載の電源制御装置。
【００７０】
［４］
前記演算回路部は、前記第１の動作モードと前記第２の動作モードとの間の消費電力で前記動作を実行する第３の動作モードを有し、前記第１の動作モードと前記第３の動作モードとを所定の周期で切り替えて、前記動作を実行することを特徴とする［１］乃至［３］のいずれかに記載の電源制御装置。
【００７１】
［５］
前記電源供給回路は、複数の前記負荷に個別に前記所定の駆動電圧を供給する複合電源回路であることを特徴とする［１］乃至［４］のいずれかに記載の電源制御装置。
【００７２】
［６］
前記電源供給回路は、前記演算回路部から送信される前記特定の制御信号に基づいて、前記第２の動作モードにおける前記複数の負荷への前記駆動電圧の供給状態を個別に設定することを特徴とする［５］記載の電源制御装置。
【００７３】
［７］
第１の動作モードと、消費電力が前記第１の動作モードより少ない第２の動作モードと、を切り替えて所定の動作を実行する演算回路部と、
利用者の入力操作に関連する信号を検出する検出部と、
前記演算回路部から出力される制御信号に基づいて、前記検出部に所定の駆動電圧を供給する電源供給回路と、
前記演算回路部は、前記電源供給回路に特定の前記制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記検出部への前記駆動電圧の供給を維持して前記検出部の動作状態を継続させることを特徴とする電子機器。
【００７４】
［８］
前記演算回路部は、前記第２の動作モードにおいて前記検出部により前記利用者の入力操作に関連する状態が検出された場合に、前記第２の動作モードから前記第１の動作モードに移行することを特徴とする［７］に記載の電子機器。
【００７５】
［９］
第１の動作モードと、消費電力が前記第１の動作モードより少ない第２の動作モードと、を切り替えて所定の動作を実行する演算回路部と、前記演算回路部から出力される制御信号に基づいて、負荷に駆動電圧を供給する電源供給回路と、を有し、
前記演算回路部から前記電源供給回路に特定の前記制御信号を送信した後に、前記演算回路部を前記第１の動作モードから前記第２の動作モードへ移行させて、前記演算回路部を前記特定の制御信号を出力しない状態とし、
前記特定の制御信号に基づいて、前記演算回路部が前記第２の動作モードになっている間に、前記電源供給回路から前記負荷への前記駆動電圧の供給を維持して前記負荷の動作状態を継続する、ことを特徴とする電源制御装置の制御方法。
【００７６】
［１０］
前記第２の動作モードにおいて前記負荷により特定の状態が検出された場合に、前記演算回路部を前記第２の動作モードから前記第１の動作モードに移行することを特徴とする［９］に記載の電源制御装置の制御方法。
【００７７】
［１１］
第１の動作モードと、消費電力が前記第１の動作モードより少ない第２の動作モードと、を切り替えて所定の動作を実行する演算回路部を備えるコンピュータに、
前記演算回路部から出力される制御信号に基づいて、負荷に駆動電圧を供給する電源供給回路に特定の前記制御信号を送信させた後に、前記演算回路部を前記第１の動作モードから前記第２の動作モードへ移行させて、前記演算回路部を前記特定の制御信号を出力しない状態とさせ、
前記特定の制御信号に基づいて、前記演算回路部が前記第２の動作モードになっている間に、前記電源供給回路から前記負荷への前記駆動電圧の供給を維持して前記負荷の動作状態を継続させる、ことを特徴とする電源制御装置の制御プログラム。
【００７８】
［１２］
前記第２の動作モードにおいて前記負荷により特定の状態が検出された場合に、前記演算回路部を前記第２の動作モードから前記第１の動作モードに移行させることを特徴とする
［１１］に記載の電源制御装置の制御プログラム。
【符号の説明】
【００７９】
１０      演算回路部
２０      電源供給回路
２５      複合電源回路
３０、３２、３６      センサ
３４      無線通信回路
１００、２００    演算回路部
１１０      センサ部
１２０、２２０    入力操作部
１４０、２４０    通信回路部
１５０、２５０    連携通信部
３００    表示部
３１０、３２０    表示パネル
４００    光源部
５００    電源部
ＤＶＣ    電子機器
【図１】
0006394951.tif 000002
【図２】
0006394951.tif 000003
【図３】
0006394951.tif 000004
【図４】
0006394951.tif 000005
【図５】
0006394951.tif 000006
【図６】
0006394951.tif 000007